(57)【要約】【課題】マンホール蓋受枠撤去装置の油圧シリンダのピストンが回転するのを防止し、ピストン側の支持体がシリンダ側の支持体と同じ方向を向くようにする。【解決手段】油圧シリンダ１の一端にホルダー支持板４が固定してあり、筒状のホルダー４１が取り付けてある。ホルダー４１にガイドロッド４２が挿入されており、ガイドロッド４２の一端がピストン１１の先端に取り付けてある。ピストン１１の伸縮移動に伴ってガイドロッド４２がホルダー４１内を移動するので、油圧シリンダの機能に影響を与えることなくピストン１１のシリンダ内における回転を防止することができ、支持体３の支持面が一定した位置を保つことができ、マンホール受枠の撤去作業の際の支持面の調整作業が省略され、効率よく撤去作業をおこなうことができる。【選択図】図２
2005290808.tif 000002
【特許請求の範囲】
【請求項１】
シリンダとピストンの端部にマンホール蓋受枠支持体を有するマンホール蓋受枠撤去装置において、ピストンの軸周り回転防止手段が設けてあるマンホール蓋受枠撤去装置。
【請求項２】
シリンダとピストンの端部にマンホール蓋受枠支持体を有するマンホール蓋受枠撤去装置において、シリンダにガイドホルダーが設けてあり、このガイドホルダー内に移動自在にガイドロッドが挿入してあり、ガイドロッドがピストンに固定してあるマンホール蓋受枠撤去装置。
【請求項３】
シリンダとピストンの端部にマンホール蓋受枠支持体を有するマンホール蓋受枠撤去装置において、シリンダにキーが形成してあり、ピストンの対応位置にキー溝が形成してあるマンホール蓋受枠撤去装置。
【請求項４】
シリンダとピストンの端部にマンホール蓋受枠支持体を有するマンホール蓋受枠撤去装置において、シリンダ及びピストンが非円形断面であるマンホール蓋受枠撤去装置。
【請求項５】
軸中央部に、マンホール蓋撤去装置の引き上げリングを収容する溝が形成してあるシャックルピン。
【発明の詳細な説明】
【技術分野】
【０００１】
本発明は、マンホール基礎面に固定されているマンホール蓋受枠を撤去する装置に関する。
【背景技術】
【０００２】
マンホール蓋受枠の交換工事や嵩上げ工事に際し、マンホール基部に固定されているマンホール蓋受枠を取り外す必要がある。マンホール蓋受枠は、マンホール蓋にかかる交通荷重によっても固定が緩み路面から浮き上がったりすることがないように強固にマンホール基部に固定されているとともに、周囲の舗装体と一体化されている。
【０００３】
この強固な固定を解除するため、図７に示すように、マンホール周囲の舗装５を切断して舗装体と一体化されているマンホール蓋受枠７を舗装体から分離し、マンホール蓋受枠７の下側にくさび状の先端部を有する油圧駆動の撤去装置を差し込み、マンホール蓋受枠７をマンホール基部８から離脱させ、マンホール蓋受枠７と周囲の舗装体５を一緒に引き上げてマンホール蓋受枠７を撤去している。支持体３は、クサビであり、先端をマンホール蓋受枠７の底面とマンホール基部８の間に当て、油圧シリンダ１を作動させて底面と基台の間に食い込ませ、マンホール蓋受枠７と基台８の固定を解除する。マンホール蓋受枠７が、マンホール基台８に設けたボルトで固定されている場合は、ボルト部分を円形カッター等でくり抜き、固定用ナットを取り外しておく。
【０００４】
油圧シリンダ１のピストンは、シリンダに挿入嵌合して軸方向に移動するものであり、シリンダに対して軸の周方向の回転が自由におこなえるようになっているため、撤去装置をマンホール蓋受枠に差し込む際、ピストン側の支持体がマンホール蓋受枠の底面に対して常に平行になっているとはかぎらず、傾斜している場合がある。そのため、シリンダ側の支持体をマンホール蓋受枠の底面とマンホール基部の間に差し込むのが容易であるが、ピストン側の支持体は、ピストンを伸長させながらマンホール蓋受枠に近づいたところで作業員がピストンを手で回転させてマンホール蓋受枠の底面と平行になるように調整する必要があった。
【０００５】
【特許文献１】特開平６−１３６７７５号公報（特許請求の範囲、図１）
【特許文献２】実開平２−０７３４６１号公報（特許請求の範囲、図１）
【特許文献３】実開昭５９−１９３６７９号公報
【発明の開示】
【発明が解決しようとする課題】
【０００６】
本発明は、マンホール蓋受枠撤去装置のピストンがシリンダに対して回転するのを防止し、常に、ピストン側の支持体がシリンダ側の支持体と同じ方向を向いて平行となるようにし、撤去装置によるマンホール蓋受枠の撤去作業を円滑におこなえるようにするものである。
【課題を解決するための手段】
【０００７】
請求項１の発明は、ピストンの軸周り回転防止手段が設けたものである。
請求項２の発明は、シリンダにガイドホルダーが設けてあり、このガイドホルダー内に移動自在にガイドロッドが挿入してあり、ガイドロッドがピストンに固定してピストンの回転を防止したものである。
請求項３の発明は、シリンダにキー溝が形成してあり、ピストンの対応位置にキーを形成してピストンの回転を防止したものである。
【０００８】
ピストンに連結されたガイドバーが、シリンダに設けたガイドホールに移動自在に挿入してあるため、ピストンがシリンダに対して回転することがなく、伸縮方向にのみ動きが許容されることになり、ピストン側の支持体の支持面が常にシリンダの支持体の支持面と同じ面内にあるため、マンホール蓋受枠の下に支持体を差し込む際の手間が省略されることになる。
【発明を実施するための最良の形態】
【０００９】
実施例１
図１にピストンを縮めた定常状態を、図２にピストンが伸長した状態を示すように、単動式または複動式の油圧シリンダ１の基端及びピストン１１の先端に支持体３がネジ着脱自在に固定されており、油圧シリンダ１とピストン１１の両端付近には吊り上げリング２が取り付けてある。支持体３は、先細りのクサビであり、その先端をマンホール蓋受枠底面とマンホール基部の間に油圧シリンダを作動させて食い込ませる。
【００１０】
図３に示すように、油圧シリンダ１の一端側に段差４４が設けてあり、この段差４４に板厚２０ｍｍの板体からなるホルダー支持板４が固定してある。ホルダー支持板４の角にはＲが付けてあって穴が形成してあり、筒状のホルダー４１がこの穴に固定してある。
【００１１】
ホルダー４１にはガイドロッド４２が挿入されており、ガイドロッド４２はホルダー内を軸方向に移動可能であり、ガイドロッド４２の一端はフリーな状態であり、他端はピストン１１の先端に取り付けてあるクランプ板４３に固定してある。クランプ板４３は、図３に示すピストン１１の先端のクランプ部に取り付けてある。
【００１２】
ピストン１１とシリンダ１０がホルダー４１を介して連結されているため、ピストン１１がシリンダ１０に対して回転することはなく、また、ピストンの伸縮移動に伴ってガイドロッド４２がホルダー４１内を移動するので、油圧シリンダの機能に影響を与えることなくピストン１１のシリンダ内における回転を防止することができる。
従って、支持体３の支持面は一定した位置を保つことができ、マンホール受枠の撤去作業の際の支持面の調整作業が省略され、効率よく撤去作業をおこなうことができる。
【００１３】
ホルダー支持板４は、段差４４に取り付ける際に、シリンダ１０に対して回転させて固定することができるので、シリンダ１０側の支持体３の支持面とピストン１１の支持体の支持面を同一平面以外の関係位置に固定することも可能である。
【００１４】
実施例２
シリンダ内におけるピストンの回転を防止するには、図４に示すように、ピストンとシリンダの断面を四角形や一部切断円形等の非円形断面にすることによっても達成できる。
実施例３
更に、図５に示すように、シリンダまたはピストンにキーとキー溝を形成することによってもピストンの回転を防止することが可能である。
【００１５】
支持体３をマンホール受枠の底面に食い込ませて受枠と切断した舗装版を吊り上げる際に、吊り上げリング２にＵボルトのシャックルピンを差し込んで引き上げているが、吊り上げリング２がシャックルピンの中心に当たらず、シャックルピンの端部に当たると、吊り上げたときにシャックルピンが傾斜するので、図６に示すように、シャックルピン６の中央部に吊り上げリング２を収容できる溝６１を形成し、吊り上げリング２がシャックルピン６の中央部に常に位置するようにし、吊り上げ時にバランスが崩れないようにし、安定した撤去作業がおこなえるようにした。
【産業上の利用可能性】
【００１６】
本発明に係るマンホール蓋受枠撤去装置は、ピストンが回転することなく一定の位置に保持されているので、撤去作業の支持体の支持面の調整が必要なくなり、撤去作業を能率良くおこなうことができる。
【図面の簡単な説明】
【００１７】
【図１】マンホール蓋受枠撤去装置の正面図。
【図２】マンホール蓋受枠撤去装置のピストンを延ばした状態の正面図。
【図３】ホルダー板及びクランプ板の取付部の拡大図。
【図４】非円形断面の例を示す断面図。
【図５】キー溝及びキーを設けた油圧シリンダの断面図。
【図６】シャックルピンの斜視図。
【図７】従来のマンホール蓋受枠撤去装置の使用時の概念図。
【符号の説明】
【００１８】
１   マンホール枠撤去装置
１０  シリンダ
１１  ピストン
２    吊り上げリング
６    シャックルピン
【図１】
2005290808.tif 000003
【図２】
2005290808.tif 000004
【図３】
2005290808.tif 000005
【図４】
2005290808.tif 000006
【図５】
2005290808.tif 000007
【図６】
2005290808.tif 000008
【図７】
2005290808.tif 000009